(57)【要約】      （修正有）【課題】高気密高断熱住宅で床下暖房手段を設けた住宅において、車両や工場や住宅密集地や各種花粉や中国大陸からの不快外気や不快臭気を床下空間で減少させる健康的換気手段を提供する。【解決手段】Ｈは床下空間から小屋裏空間までを連通化した屋内通気空間を形成した高気密高断熱住宅であり、床下空間１０と床下暖房構造１１と居住部２０と居住部３０と小屋裏空間４０と屋内通気空間５０で構成され、小屋裏空間４０には外気取入れ口４１と小屋裏排気口４２と熱交換手段付き強制吸気・排気装置６０を設け、強制吸気・排気装置６０には吸気部６１と供給部６２と排気入力部６３と排気出力部６４が設けられ、居住部２０には居住部吸気口２１と居住部排気口２５を設けられ、居住部３０には居住部吸気口３１と居住部排気口３５を設けられ、床下空間１０には空気改質装置７０とメンテナンス部１２で構成されている。【選択図】図１
2010242472.tif 000002
【特許請求の範囲】
【請求項１】
床下空間、少なくとも一つ以上の居住部、小屋裏空間からなり、床下空間から小屋裏空間までを連通化し屋内通気空間を形成させた高気密高断熱住宅で床下空間の中の少なくとも一部に暖房手段を設けた住宅において、前記小屋裏空間に外気取入れ口と排気口と  熱交換手段付き強制吸気・排気装置を設け、前記居住部に吸気口と排気口を設け、前記床下空間には空気改質装置を設け、前記強制吸気・排気装置にはダクトを介して外気取入れ口に接続されダクトを介して前記空気改質装置に接続され、前記居住部排気口と前記強制吸気・排気装置とはダクトを介して接続され、前記強制吸気・排気装置と前記小屋裏排気口とはダクトを介して接続される、ことを特徴とする床下暖房住宅の健康的換気手段。
【請求項２】
前記空気改質装置が、フィルター機能、空気浄化機能、空気活性化機能、除湿機能、加湿機能、などの中から選択した機能を備えている、ことを特徴とする、請求項１に記載の床下暖房住宅の健康的換気手段。
【請求項３】
前記空気改質装置が、入力部と空気改質処理部と出力部より成り、前記空気改質処理部が着脱可能になっていることを特徴とする、請求項１または請求項２に記載の床下暖房住宅の健康的換気手段。
【請求項４】
前記空気改質処理部が第１空気処理部から第（ｎ＋１：ｎは正の整数）空気処理部から成り、前記機能から選択して組合わせることを特徴とする、請求項３に記載の床下暖房住宅の健康的換気手段。
【請求項５】
前記空気改質装置を設けた床下空間には、前記空気改質装置のメンテナンス手段を設けたことを特徴とする、請求項１から請求項３のいずれかに記載の床下暖房住宅の健康的換気手段。
【発明の詳細な説明】
【技術分野】
【０００１】  本発明は、床下空間、居住部、小屋裏空間からなり、床下空間から小屋裏空間までを連通化し屋内通気空間を形成させた高気密高断熱住宅で床下暖房手段を設けた住宅において、外気中の、汚染空気や煤塵、不快臭、ゴミ・チリ、各種花粉、黄砂や汚染物質、などの不快外気を床下空間で低減させた優良空気を屋内通気空間や居住部に供給する床下暖房住宅の健康的換気手段に関する。
【背景技術】
【０００２】  近年になって、床下空間、居住部、小屋裏空間からなり、かつ、床下空間から小屋裏空間までを連通化する屋内通気空間を形成させた高気密高断熱住宅が多く建築されるようになってきた。一般的には、エアサイクル住宅とかパッシブエアサイクル住宅と呼ばれているシステムが知られているが、いわゆる夏涼しく冬温かい室内環境にしたり、外気の湿気や乾燥等に影響されることなく、室内を快適な湿度に保つことや、住宅内の壁体や断熱材への結露対策が充分でない施工例が多い。そのため、これらの問題を解決するために多くの開発者たちによって多くの開発例が見られるようになってきたが、住人の健康維持対策や住宅の長寿命化対策や省エネ対策に消費者のニーズがあることが明白であるにもかかわらず、住宅の暖房効率や住宅の換気方法に改善すべき問題点があり、さらに住人の健康維持対策や住宅の長寿命化対策が十分に行なわれていないことを業界関係者は指摘していた。【０００３】  そこで、本願発明者は、上述した問題点の中から少なくとも一部を改善するために、２００５年８月２３日に、床下空間、居住部、小屋裏空間からなり、かつ、床下空間から小屋裏空間までを連通化する屋内通気空間を形成させた高気密高断熱住宅において、床下空間の土間を土間暖房構造とし、床下空間には外壁・床下吸気口を設け、居住部の周囲に居住部周囲通気空間を形成し、また居住部には通気空間・室内吸気口を設け、小屋裏空間には開閉自在手段を備えた換気扇を設け、外壁と壁断熱部との間に外壁通気空間を設け、屋根と屋根断熱部との間に屋根通気空間を設け、また屋根頂部には棟換気部を設けた、「住宅の暖房・換気構造」に関する開発案件の特許出願を行なった。（特願２００５−２７２７２０号を参照する）
この開発によって本出願人らは、効率がよく経済的な住宅の暖房システムとそれをサポートする換気構造の住宅である「ハイブリッドどまだんシステム」（登録商標）として販売活動を実施し、購入者からは高い評価を受けている。【０００４】  また、本願発明者は、引き続き上述した問題点の中から少なくとも一部を改善するために、２００６年６月３０日に、空気浄化効果やマイナスイオン発生効果や遠赤外線放射効果や抗菌性または害虫防御性または防黴性を向上させた、炭素系塗料の提供を課題としその解決手段として、高気密・高断熱住宅に使用される空気浄化用の塗料であり、基材とする無機バインダーに、所定量の炭素系粉体、所定量の分極性鉱物粉体、所定量の多孔質無機粉体、所定量の耐水材を混練りして成り、前記バインダーや前記粉体や前記耐水化材がおのおの遠赤外線放射作用やマイナスイオン放出作用や防虫性または防黴性を備えた物質から選択されることを特徴とする、「空気活性用の炭素系塗料」の特許出願を行なった。（特願２００６−２０７１２９号を参照する）
この開発によって本出願人らは、床下暖房からの空気を浄化させたり活性化させたりする炭塗料の商品化を行い、「すみちゃん」という商品名で販売活動を実施し、購入者からは高い評価を受けている。【０００５】  また、本願発明者は、引き続き上述した問題点の中から少なくとも一部を改善するために、２００７年９月５日に、高気密高断熱住宅で床下暖房手段を設けた住宅において、多湿空気や乾燥空気、汚染された空気などを床下空間に取り入れた場合でも快適化させた空気を住宅内部に供給する手段の提供を目的とし、その構成が、高気密高断熱住宅は、床下空間と床下暖房構造、居住部と周囲に形成させた居住部周囲通気空間、居住部と周囲に形成させた居住部周囲通気空間、小屋裏空間と任意の位置に設けた開閉自在換気扇を設け、また、外壁と壁断熱部との間に外壁通気空間を設け、屋根と屋根断熱部との間に屋根通気空間を設け、また屋根頂部には棟換気部を設け、床下暖房構造は、蓄熱コンクリートと内部に埋設された放熱手段で形成され、基礎断熱部の上部に設けられ、また床下空間には外壁・床下吸気口を設け、居住部には室内吸気口と壁面・室内排気口を設け、居住部には室内吸気口と壁面・室内排気口を設け、除湿手段は蓄熱コンクリートの表面に設置することを特徴とする「外気快適化手段を設けた床下暖房住宅」の特許出願を行なった。（特願２００７−２６１３７１号を参照する）
この開発によって本出願人らは、床下暖房からの空気を乾燥しすぎないようにして、住宅内部の健康と住人の健康を維持することができる住宅として販売活動を実施し、購入者からは高い評価を受けている。
【発明の開示】
【発明が解決しようとする課題】
【０００６】  ところが、本願発明者が特願２００５−２７２７２０号の「住宅の暖房・換気構造」に関する技術により形成された住宅、特願２００６−２０７１２９号の「空気活性用の炭素系塗料」に関する技術により商品化された炭塗料、特願２００７−２６１３７１号の「外気快適化手段を設けた床下暖房住宅」に関する技術により形成された住宅、などを多数提供できるようになった結果、都市部や工場地帯や住宅密集地における販売活動の中で、車両からの汚染された空気や煤塵対策、工場からの汚染された空気や煤塵や不快臭対策、住宅密集地特有の外気中のゴミ・チリや住宅からの不快臭対策、ほぼ全国的な問題である杉花粉を代表とする各種花粉対策、ほぼ全国的な問題である主に中国大陸から飛来する黄砂や汚染物質対策、などを向上させた住宅の要望が多数寄せられるようになってきた。【０００７】  また、従来の、床下空間、居住部、小屋裏空間からなり、かつ、床下空間から小屋裏空間までを連通化し屋内通気空間を形成させた高気密高断熱住宅で床下空間の中の少なくとも一部に暖房手段を設けた住宅の開発例においては、床下空間で加熱された外気が屋内通気空間を介して居住部に供給されるため、床下空間や屋内通気空間への、車両からの汚染空気や煤塵、工場からの汚染空気や煤塵や不快臭、住宅密集地特有の外気中のゴミ・チリや住宅からの不快臭、各種花粉対策、中国大陸から飛来する黄砂や汚染物質、などの不快外気に対する対策が十分でなかったことが問題提起されるようになってきた。【０００８】  本発明は、上記の課題を解決するために成されたものであり、床下空間、居住部、小屋裏空間からなり、かつ、床下空間から小屋裏空間までを連通化する屋内通気空間を形成させた高気密高断熱住宅の床下空間に暖房手段を設けた住宅において、上述した外気の不快条件、例えば、車両からの汚染空気や煤塵、工場からの汚染空気や煤塵や不快臭、住宅密集地特有の地上に浮遊するゴミやチリや住宅からの調理時に伴う不快臭、各種花粉対策、主に中国大陸から飛来する黄砂や微粒子状の汚染物質、などの不快外気を床下空間で除去または低減または除菌または殺菌でき、かつ施工が容易でメンテンナンス性や経済性に優れた、床下暖房住宅の健康的換気手段の提供を課題とする。
【課題を解決するための手段】
【００１０】  課題を解決するための第一の手段（請求項１）として、床下空間、少なくとも一つ以上の居住部、小屋裏空間からなり、床下空間から小屋裏空間までを連通化し屋内通気空間を形成させた高気密高断熱住宅で床下空間の中の少なくとも一部に暖房手段を設けた住宅において、前記小屋裏空間に外気取入れ口と排気口と熱交換手段付き強制吸気・排気装置を設け、前記居住部に吸気口と排気口を設け、前記床下空間には空気改質装置を設け、前記強制吸気・排気装置にはダクトを介して外気取入れ口に接続されダクトを介して前記空気改質装置に接続され、前記居住部排気口と前記強制吸気・排気装置とはダクトを介して接続され、前記強制吸気・排気装置と前記小屋裏排気口とはダクトを介して接続される、ことを特徴とする床下暖房住宅の健康的換気手段を提供することである。【００１１】  課題を解決するための第一の手段で記述された居住部に関しては、本発明では住人が所定時間滞在する部屋は全て対象になり、例えば、居間、寝室、子供部屋、台所、トイレ、洗面所、浴室、書斎、リビング、ダイニング、キッチン、食堂、夫婦の部屋、玄関、両親の部屋、などを示すものとする。
課題を解決するための第一の手段で記述された床下暖房手段に関しては、基礎部と土間断熱部と放熱手段と蓄熱コンクリートという構造であり、本発明では前記蓄熱コンクリートの内部に放熱手段を設けるようになっている。この放熱手段に関しては、電熱効果や温水や熱水や高温気体や高温液体などから選択して用いればよい。電熱効果を発生させる手段や温水を発生させる手段や熱水を発生させる手段や高温気体を発生させる手段や高温液体を発生させる手段に関しては、特に制限はなく、一般的に知られた方法を用いればよい。【００１２】  課題を解決するための第一の手段の冒頭で記述された外気は本発明を導入した住宅の周囲の外気を示しこれを外気Ａとする。また、外気Ａに関しては、多湿空気（例えば、温度が約２０℃のときの相対湿度が約７０％以上の場合）を外気Ａ１、乾燥空気（例えば、温度が約２０℃のときの相対湿度が約４０％以下の場合）を外気Ａ２、不快臭気含有空気（例えば、自動車由来の不快臭気、工場由来の不快臭気、発電所由来の不快臭気、農地由来の不快臭気、畜産由来の不快臭気、ゴミ焼却所由来の不快臭気、など鼻腔を刺激する因子を含有する空気）を外気Ａ３、不快微粒子含有空気（例えば、自動車由来の煤塵としての微粒子、工場由来の煤塵としての微粒子、発電所由来の煤塵としての微粒子、など肺内に侵入することで人体に不快な症状を生じさせる空気）を外気Ａ４、住宅密集地特有のゴミやチリを含む空気である外気Ａ５、住宅密集地特有の料理時に伴う住宅からの不快臭を含む空気である外気Ａ６、杉花粉を代表とする各種花粉を含む空気である外気Ａ７、中国大陸から飛来する黄砂や汚染物質を含む空気である外気Ａ８、などを住宅の設置条件によって影響される外気条件を示すものとする。また本明細書で外気Ａとして表示する場合は、外気Ａ１から外気Ａ８の中の少なくとも一つを含む外気であるものとする。【００１３】  課題を解決するための第一の手段で記述された前記小屋裏空間に設ける外気取入れ口と排気口に関しては、前記小屋裏空間と外壁を貫通できる場所であれば任意の場所に形成することができるが、前記外気取入れ口と前記排気口とは十分な間隔を設けることが好ましい。また前記外気取入れ口にはエアフィルターを備えたタイプの使用も可能である。
課題を解決するための第一の手段で記述された熱交換手段付き強制吸気・排気装置に関しては、前記居住部排気口から前記居住部の空気を強制排気し、強制排気された前記居住部の空気は熱交換され、熱交換された前記居住部排気は前記小屋裏排気口を介して屋外に排気されるようになっているが、前記外気取入れ口から外気Ａを強制吸気し通過した外気Ａを外気Ｂとし、前記外気取入れ口にエアフィルターを備えたタイプを通過した外気Ａを外気Ｂ１とする。次に前記強制吸気・排気装置を通過する外気Ｂを外気Ｃとし、外気Ｃは熱交換され、熱交換された外気Ｃを前記空気改質装置に供給できるようになっていれば、前記強制吸気・排気装置は公知の部品や技術を用いて形成させればよい。また、前記強制吸気・排気装置の吸気部または排気部、前記強制吸気・排気装置の吸気部及び排気部に、エアフィルターを設けるようにしてもよいし、エアフィルターを内蔵するように形成してもよい。この場合、前記強制吸気・排気装置の吸気部にエアフィルターを設けたタイプを通過した外気Ｃを外気Ｃ１とし、前記強制吸気・排気装置の排気部にエアフィルターを設けたタイプを通過した外気Ｃを外気Ｃ２とし、前記強制吸気・排気装置の吸気部と排気部にエアフィルターを設けたタイプを通過した外気Ｃを外気Ｃ３とし、前記強制吸気・排気装置にエアフィルターを内蔵したタイプを通過した外気Ｃを外気Ｃ４とする。【００１４】  課題を解決するための第一の手段で記述された空気改質装置に関しては、ダクトを介して前記強制吸気・排気装置と接続されダクトを介して前記外気取入れ口に接続されることで、地上から所定の高さに設置される前記外気取入れ口は地上に浮遊するゴミやチリの影響を受けにくい場所に設置されているので、外気Ａの中でも比較的条件の良い状態すなわち外気（ＢｏｒＢ１）を選択する手段として有効であり、前記外気取入れ口を介した外気（ＢｏｒＢ１）を前記強制吸気・排気装置を介した外気（ＣｏｒＣ１ｏｒＣ２ｏｒＣ３ｏｒＣ４）を前記空気改質装置に供給することで外気Ｄに変化することになる。
また、前記空気改質装置に関しては、前記空気改質装置に入力される前の外気（ＣｏｒＣ１ｏｒＣ２ｏｒＣ３ｏｒＣ４）を住人の健康維持または健康向上に貢献する作用をさせるための手段であれば、一般的に知られた方法であれば何を用いてもよい。
例えば外気Ａ１に関しては、前記空気改質装置に空気中の水分を減少させる手段を設けるものとする。例えば外気Ａ２に関しては、前記空気改質装置に空気中の水分を増加させる手段を設けるものとする。例えば外気Ａ３に関しては、前記空気改質装置に前記の鼻腔を刺激する因子を含有する空気を減少させる手段を設けるものとする。例えば外気Ａ４または外気Ａ５または外気Ａ７または外気Ａ８に関しては、前記空気改質装置に空気中の不快微粒子または空気中の住宅密集地特有のゴミやチリまたは空気中の前記各種花粉または空気中の黄砂や汚染物質を減少させる手段を設けるものとする。【００１６】  課題を解決するための第二の手段（請求項２）として、前記空気改質装置が、フィルター機能、空気浄化機能、空気活性化機能、除湿機能、加湿機能、などの中から選択した機能を備えている、ことを特徴とする、課題を解決するための第一の手段に記載の床下暖房住宅の健康的換気手段を提供することである。【００１７】  課題を解決するための第二の手段で記述されたフィルター機能に関しては、外気（ＣｏｒＣ１ｏｒＣ２ｏｒＣ３ｏｒＣ４）をろ過手段を介して変化させた外気Ｄは外気Ｄ１０とし、外気Ｄ１０に変化させるろ過手段に関しては一般的に市販されているフィルター材料であれば何を用いてもよい。外気（ＣｏｒＣ１ｏｒＣ２ｏｒＣ３ｏｒＣ４）を吸着手段を介して変化させた外気Ｄは外気Ｄ２０とし、外気Ｄ２０に変化させる吸着手段に関しては何を用いてもよい。
また、前記フィルター材料に関しては、天然繊維系シート状成形体、合成繊維系シート状成形体、セルロース系シート状成形体、金属繊維系シート状成形体、炭素繊維系シート状成形体、無機繊維系シート状成形体、天然繊維系不織布、合成繊維系不織布、セルロース系不織布、金属繊維系不織布、炭素繊維系不織布、無機繊維系不織布、などから選択して単独または組合わせて用いることが好ましい。
また、前記吸着手段は、炭素系多孔質吸着体、セラミック系多孔質吸着体、などを形成させて用いてもよい。
また、前記炭素系多孔質吸着体に関しては、炭素系粉体や活性炭粉体を所定寸法に成形したものを用いればよい。
前記炭系素材粉体に関しては、竹炭粉体、木炭粉体、活性炭の粉体、活性化木炭の粉体、白炭粉体、黒炭粉体、備長炭粉体、椰子ガラ活性炭の粉体、カーボンブラック粉体、石炭粉体、その他炭素化合物、などの中から少なくとも１種以上組合せて用いることが、本発明では好ましい。
また、前記活性炭粉体に関しては、鋸屑、ヤシ殻炭などの植物、石炭コークス、石油ピッチなどの鉱物、家畜の骨等の動物、アクリル樹脂、フェノール樹脂などのプラスチック廃棄物などの合成樹脂等を原料としてもよい。
また、前記炭系素材粉体の作用に関しては、一般的に知られている木炭の場合では数ミクロンから数百ミクロンの微細孔を備えており、塗装面表面において木炭粉末の粒子が空気と接触することでこの微細孔が湿度の高いときは水分を吸着し、乾燥しているときには水分を放出する調湿効果や、人体に悪影響を及ぼすとされるプラスイオンの吸着若しくは中和をする効果が知られている。【００１８】  また、前記セラミック系多孔質吸着体に関しては、セラミック系の粉体を所定寸法に成形したものを用いればよい。前記セラミック系粉体は、鉱物質粉体または酸化金属粉体または陶磁器粉体を用いることができる。
また、前記鉱物質粉体としては、ゼオライト、タルク、カオリン、珪藻土、活性白土、イライト、モンモリロナイト、クレイ、コージェライト、セピオライトなどが知られており、単独で用いても効果は十分であるが、組合わせて用いることで効果は向上する、例えばモンモリロナイトとカオリナイト、例えば珪藻土とカオリナイト、例えばモンモリロナイトと珪藻土等であるが、とにかく数多くの組合わせが可能なのでここでは一例を記した。
また、前記珪藻土に関しては、細粉化して１μｍ〜１ｍｍの粒子径となるようにしたもので、例えば、平均粒径５μｍの場合で１ｇ当たり２０平方メートルもの表面積を有し、この粒子の多孔構造によって空気中の不快物質を吸着したり湿気を吸着したり放出する性質を有する。
また、前記ゼオライトに関しては、ケイ酸（ＳｉＯ２）や酸化アルミニウム（ＡｌＯ３）を主成分とするもので、イオン交換性能を有し、脱水しても結晶構造が変化せず、脱水した後に分子サイズの多孔が得られるという性質を有するものである。このため、このような性質を有するゼオライトを成分として含むと、空気中に存在する化学物質やアンモニア系の臭い、臭い原因物質、臭い分子等を吸着分解することができるようになる。このゼオライトには、天然に存在する天然ゼオライトと、人工的に合成した合成ゼオライトが存在するが、どちらも使用可能である。
前記酸化金属粉体としては、一般的には、ＳｉＯ２、ＳｉＯ３、ＡＬ２Ｏ３、Ｆｅ２Ｏ３、ＭｇＯ、ＣａＯ、ＴｉＯ２、Ｋ２Ｏ、ＭｎＯ、ＺｎＯ、Ａｇ２Ｏ、ＧｅＯ、ＧｅＯ２、ＳｎＯ、ＳｎＯ２、Ｆｅ３Ｏ４、ＦｅＯ、ＣｕＯ、などから一種以上含まれたタイプであれば何を用いても構わない。【００１９】  また、前記鉱物質粉体と前記酸化金属粉体と前記陶磁器粉体に関しては、夫々単独で用いてもよいし組合わせて用いてもよいが夫々の配合比率に関しては特に制限は設けない。また、前記酸化金属粉体または／および前記陶磁器粉体の粒度に関しては、平均粒径約１μｍから１ｍｍの粉末の使用も可能である。
また、前記ろ過手段と前記吸着手段は単独で用いてもよいし、組合わせて用いてもよい。【００２１】  課題を解決するための第二の手段で記述された空気浄化機能に関しては、空気殺菌手段または空気除菌手段、から選択して用いればよい。また、外気（ＣｏｒＣ１ｏｒＣ２ｏｒＣ３ｏｒＣ４）を空気殺菌手段または空気除菌手段を介して変化させた外気Ｄは外気Ｄ３０とし、外気Ｄ３０に変化させる空気殺菌手段または空気除菌手段に関しては何を用いてもよい。
また、前記空気殺菌手段または空気除菌手段に関しては、銅繊維フィルター、銅メッキフィルター、抗菌ステンレス繊維フィルター、銀繊維フィルター、銀メッキフィルター、加熱式フィルター、紫外線照射手段、遠赤外線照射手段、などから選択して単独で用いるか組合わせて用いることができる。
また、前記加熱式フィルターに関しては、近赤外線照射手段、電熱手段、金属酸化熱手段、白金触媒手段、燃焼手段、などから選択して単独で用いるか組合わせて用いることができる。【００２２】  課題を解決するための第二の手段で記述された空気活性化機能に関しては、遠赤外線発生手段やマイナスイオン発生手段や爽快感発生手段などから選択して単独かつ組合わせて用いることを可能とする。また、外気（ＣｏｒＣ１ｏｒＣ２ｏｒＣ３ｏｒＣ４）を遠赤外線発生手段を介して変化させた外気Ｄは外気Ｄ４０とし、外気Ｄ４０に変化させる遠赤外線発生手段に関しては何を用いてもよい。また、外気（ＣｏｒＣ１ｏｒＣ２ｏｒＣ３ｏｒＣ４）をマイナスイオン発生手段を介して変化させた外気Ｄは外気Ｄ５０とし、外気Ｄ５０に変化させるマイナスイオン発生手段に関しては何を用いてもよい。
前記遠赤外線の特性に関しては、赤外線は波長０．７５〜４．０μの近赤外線と、波長４．０〜１，０００μの遠赤外線とに、波長により区分される。遠赤外線は、近赤外線に比べ光子エネルギーは小さいが浸透力が強く、生体内部にまで到達し加温する。物体は外部から種々の形でエネルギーを受け、これをまた種々の形で外部に放射しているが、このうち遠赤外線を多く放射するものが遠赤外線放射体であり、本発明では遠赤外線放射体に関しては何を用いてもよく特に制限はない。また本発明では遠赤外線発生手段に関しては何を用いてもよく特に制限はない。
前記マイナスイオンに関しては、「健康に良い」、「人体に好影響を及ぼす」ことが公知になってきているが、マイナスイオンは、自然界では「滝の周囲」で一番多く観測されており、例えば、空気１ｃｃあたりで約１２，０００〜１５，０００個存在することが公知になっており、本発明ではマイナスイオン発生手段に関しては何を用いてもよく特に制限はない。
また、物質の中には遠赤外線放射体でありマイナスイオン生成手段でもある物質として、例えば、前記炭系素材またはこれを所定の形状に形成させた成形体、前記鉱物質粉体またはこれを所定の形状に形成させた成形体、前記酸化金属粉体またはこれを所定の形状に形成させた成形体、前記陶磁器粉体またはこれを所定の形状に形成させた成形体、などから選択して単独で用いるか組合わせて用いる。
また、前記爽快感発生手段としては、ハーブ系の植物からの抽出物が知られており、ハーブとして認知されている植物は全て利用できるものとする。例えば、前記ハーブ系植物抽出物としてはミント系植物の抽出物が気分を爽快にさせるものとして良く知られているが、花粉症の改善にも一定の効果があることが知られている。
本発明で前記ハーブ系植物抽出物を利用する場合は、前記酸化金属粉体またはこれを所定の形状に形成させた成形体、前記陶磁器粉体またはこれを所定の形状に形成させた成形体、などから選択して単独で用いるか組合わせた物質や物体に付加させた状態で用いるのが好ましい。【００２３】  課題を解決するための第二の手段で記述された除湿機能に関しては、外気（ＣｏｒＣ１ｏｒＣ２ｏｒＣ３ｏｒＣ４）を除湿手段を介して湿度を減少させた外気Ｄ６０に変化させることが可能ならば除湿手段に関しては一般的に知られた手段で構わない。
課題を解決するための第二の手段で記述された加湿機能に関しては、外気（ＣｏｒＣ１ｏｒＣ２ｏｒＣ３ｏｒＣ４）を加湿手段を介して湿度を増加させた外気Ｄ７０に変化させることが可能ならば加湿手段に関しては一般的に知られた手段で構わない。【００２５】  課題を解決するための第三の手段（請求項３）として、前記空気改質装置が、入力部と空気改質処理部と出力部より成り、前記空気改質処理部が着脱可能になっていることを特徴とする、課題を解決するための第一の手段または課題を解決するための第二の手段に記載の床下暖房住宅の健康的換気手段を提供することである。【００２６】  課題を解決するための第三の手段で記述された入力部に関しては、ダクトを介して前記強制吸気・排気装置と接続されるようになっていれば、構造的に特に制限を設けないものとする。
課題を解決するための第三の手段で記述された出力部に関しては、前記空気改質処理部で処理された、外気Ｄ１０、または外気Ｄ２０、または外気Ｄ３０、または外気Ｄ４０、または外気Ｄ５０、または外気Ｄ６０、または外気Ｄ７０、またはこれらの中から選択され組合された外気Ｄが前記床下空間内に放出されるようになっていれば、構造的に特に制限を設けることはないものとする。【００２７】  課題を解決するための第三の手段で記述された空気改質処理部が着脱可能になっていることに関しては、例えば四季の外気の状態に合わせて、例えば６月から９月くらいの外気Ａ１の比率が多いときには前記除湿機能を装着したり、例えば１２月から３月くらいの外気Ａ２の比率が多いときには前記加湿機能を装着したり、また住宅環境が外気Ａ３の比率が多いときには前記フィルター機能または前記空気浄化機能を装着したり、また住宅環境が外気Ａ４の比率が多いときには前記フィルター機能または前記空気浄化機能を装着したり、また住宅環境が外気Ａ５の比率が多いときには前記フィルター機能を装着したり、また住宅環境が外気Ａ６の比率が多いときには前記フィルター機能または前記空気活性化機能を装着したり、また住宅環境が外気Ａ７の比率が多いときには前記フィルター機能または前記空気浄化機能を装着したり、また住宅環境が外気Ａ８の比率が多いときには前記フィルター機能または前記空気浄化機能を装着したり、また住人が気分転換を図りたい時やリフレッシュしたい時や健康状態が悪いと感じた時に前記空気活性化機能を装着したり、また住人が風邪気味だと感じた時に加湿機能を装着したり、また時期的にインフルエンザが流行しかけた時に前記空気浄化機能または前記空気活性化機能を装着したり、できるようになっていれば構造的な制限は特に設けないものとする。【００２９】  課題を解決するための第四の手段（請求項４）として、前記空気改質処理部が第１空気処理部から第（ｎ＋１：ｎは正の整数）空気処理部から成り、前記機能から選択して組合わせることを特徴とする、課題を解決するための第三の手段に記載の床下暖房住宅の健康的換気手段を提供することである。【００３０】  課題を解決するための第四の手段で記述された前記空気改質処理部が第１空気処理部から第（ｎ＋１：ｎは正の整数）空気処理部から成ることに関しては、前記空気改質処理部が、第１空気処理部と第２空気処理部、第１空気処理部と第２空気処理部と第３空気処理部、第１空気処理部と第２空気処理部と第３空気処理部と第４空気処理部、第１空気処理部と第２空気処理部と第３空気処理部と第４空気処理部と第５空気処理部、第１空気処理部と第２空気処理部と第３空気処理部と第４空気処理部と第５空気処理部と第６空気処理部、程度の場合を想定したものであり、実際の製品化に当たっては第１０空気処理部までがコスト的な問題や製品の大きさの問題やメンテナンス性の問題で妥当であろうと判断しているが、それは一般的な住宅のサイズを考慮しており、本発明が集合住宅や大きめの住宅の場合では第１０空気処理部以上も可能である。【００３１】  課題を解決するための第四の手段で記述された前記機能から選択して組合わせることに関しては、前記フィルター機能（前記ろ過手段���前記フィルター材料からの選択）、前記吸着手段（前記炭素系多孔質吸着体からの選択、前記セラミック系多孔質吸着体からの選択）、前記空気浄化機能（前記の空気殺菌手段または空気除菌手段からの選択）、前記空気活性化機能（前記遠赤外線発生手段や前記マイナスイオン発生手段からの選択）、前記除湿機能（公知技術からの選択）、前記加湿機能（公知技術からの選択）、から選択して任意に、前記の第１空気処理部から第（ｎ＋１：ｎは正の整数）空気処理部に設けるようにすればよい。【００３２】  また前記機能から選択して組合わせることに関しては、例えば、前記空気改質処理部が第１空気処理部と第２空気処理部の場合に、第１空気処理部には前記加湿機能から選択した手段を設け、第２空気処理部には前記フィルター機能から選択した手段を設けることで、住宅環境が、例えば、外気Ａ３または外気Ａ４または外気Ａ５または外気Ａ６または外気Ａ７または外気Ａ８の場合や、外気Ａ３と外気Ａ４の場合や、外気Ａ３と外気Ａ５の場合や、外気Ａ３と外気Ａ６の場合や、外気Ａ３と外気Ａ７の場合や、外気Ａ３と外気Ａ８の場合や、外気Ａ４と外気Ａ５の場合や、外気Ａ４と外気Ａ６の場合や、外気Ａ４と外気Ａ７の場合や、外気Ａ４と外気Ａ８の場合や、外気Ａ５と外気Ａ６の場合や、外気Ａ５と外気Ａ７の場合や、外気Ａ５と外気Ａ８の場合や、外気Ａ６と外気Ａ７の場合や、外気Ａ６と外気Ａ８の場合や、外気Ａ７と外気Ａ８の場合には、外気中に前記不快微粒子や前記不快臭気が存在する場合であり、前記不快微粒子や前記不快臭気に水分を付与させることで前記ろ過機能が向上するという理論を用いており、この理論的背景としては、大気中の前記不快微粒子や前記不快臭気が雨滴によって吸着され、雨後には減少しているという事実を応用するものである。すなわち、前記加湿手段によって生じた水蒸気や微小水滴に接触した微粒子や臭い分子に接触することで、前記フィルター機能などに捕獲または吸着されやすくなるという理論的応用によるものである。【００３３】  課題を解決するための第五の手段（請求項５）として、前記空気改質装置を設けた床下空間には、前記空気改質装置のメンテナンス手段を設けたことを特徴とする、課題を解決するための第一の手段から課題を解決するための第三の手段のいずれかに記載の床下暖房住宅の健康的換気手段を提供することである。【００３５】  課題を解決するための第五の手段で記述された床下空間に設けた前記空気改質装置のメンテナンス手段を設けたことに関しては、前記床下空間に設けた空気改質装置の近傍で前記居住部と前記床下空間の間に、開閉可能な床板手段を形成させたり、開閉可能な床板手段を備えた床下収納手段を形成させたり、開閉可能な床板手段に着脱可能に前記空気改質装置を装着できる手段を形成させたり、することの中から選択して単独で形成させたり組合わせて形成させたりすることが可能である。
また、前記床板形成手段に関しては、本発明を採用する住宅の設計者によって好適に設計されるのであれば構造に関しては公知の技術で構わない。
また、前記床下収納手段に関しては、前記床下収納手段の中に前記空気改質装置を収納できるようになっていれば、構造に関しては公知の技術で構わない。
また、前記床板装着手段に関しては、前記床板装着手段の一部である床板の前記床下空間側に前記空気改質装置を着脱可能手段を介して装着できるようになっていれば、構造に関しては公知の技術で構わない。
【発明の効果】
【００３７】  本発明の床下暖房住宅の健康的換気手段が提供ができることで、以下に記述した発明の効果が可能になる。【００３８】  例えば、本明細書に記述した手段によって、車両からの汚染空気や煤塵、工場からの汚染空気や煤塵や不快臭、住宅密集地特有の外気中のゴミ・チリや住宅からの不快臭、各種花粉対策、主に中国大陸から飛来する黄砂や汚染物質、などを除去または低減させた優良空気を床下空間に供給できることで、例えば床下暖房手段を使用する期間（地域差はあるが例えば、晩秋期、冬期、初春期）では加熱された優良空気を少なくとも一つ以上の居住部に供給できるので、この住宅の住人は健康的で快適な生活を過ごすことができる。また、例えば床下暖房手段を使用しない期間（地域差はあるが例えば、初秋期、夏期、晩春期）では優良空気を少なくとも一つ以上の居住部に供給できるので、この住宅の住人は健康的で快適な生活を過ごすことができるので冷房手段を使わないか減らすことが可能になる。したがって経済的にも貢献することができる。【００３９】  また、本明細書に記述した手段によって、車両からの汚染空気や煤塵、工場からの汚染空気や煤塵や不快臭、住宅密集地特有の外気中のゴミ・チリや住宅からの不快臭、各種花粉対策、主に中国大陸から飛来する黄砂や汚染物質、などを除去または低減させた優良空気を床下空間に供給できることで、この床下空間を介して前記屋内通気空間を前記優良空気が満たすことになるので、前記屋内通気空間が優良状態を保持することが可能なので本発明の高気密高断熱住宅の寿命を延ばすことができる。【００４０】  また、本明細書に記述した手段によって、車両や工場からの煤塵、住宅密集地特有の外気中のゴミ・チリ、各種花粉対策、主に中国大陸から飛来する黄砂や汚染物質、などを除去または低減させた優良空気を床下空間に供給できることで、この床下空間を介して優良空気を前記居住部に供給できるので、前記居住部の不快物質の低減が図れ、結果的に前記居住部の掃除を軽減できるので、本発明の高気密高断熱住宅のメンテナンス性を向上させることが可能になる。【００４１】  また、本明細書に記述した手段によって、本発明を採用する住宅の環境に合わせて前記空気改質装置を設計することが可能になり、上述した発明の効果をより効果的に発揮させることが可能になる。また、住宅設計の専門家でなくとも本発明を採用する住宅の住人であれば環境に合わせて前記空気改質処理部を自由に組合わせることが可能になり、住人のニーズに合わせることが可能になる。【００４２】  また、本明細書に記述した手段によって、本発明の床下暖房住宅の健康的換気手段のメンテナンス性が向上し、さらに上述した前記空気改質装置の設計がより細かく消費者のニーズに合わせることと住宅の環境への適応性が向上する。
【発明を実施するための最良の形態】
【００４４】  以下、本発明の実施の形態について、図１に基づいて説明する。
図１は本発明の実施の形態例を示す概略説明図である。
【実施例１】
【００４５】  図１より、Ｈは床下空間から小屋裏空間までを連通化した屋内通気空間を形成した高気密高断熱住宅であり、高気密高断熱住宅Ｈは、床下空間１０と床下暖房構造１１、居住部２０、居住部３０、小屋裏空間４０、屋内通気空間５０、で構成されている。床下暖房構造１１は、蓄熱コンクリートの中に放熱手段（図示せず）が埋め込まれた構造になっている。小屋裏空間４０には、外気取入れ口４１と、小屋裏排気口４２と、熱交換手段付き強制吸気・排気装置６０を設けてある。強制吸気・排気装置６０には、吸気部６１と供給部６２、排気入力部６３と排気出力部６４、が設けられている。居住部２０には、居住部吸気口２１と居住部排気口２５を設けられ、居住部３０には、居住部吸気口３１と居住部排気口３５を設けられている。床下空間１０には、空気改質装置７０と、空気改質装置７０のメンテナンス部１２を設けてあり、空気改質装置７０は、入力部７１と空気改質処理部７２と出力部７３より成り、空気改質処理部７２は着脱可能になっていて第１空気処理部７２ａと第２空気処理部７２ｂで構成されている。強制吸気・排気装置６０の吸気部６１と外気取入れ口４１はダクトＤ１を用いて接続され、強制吸気・排気装置６０の供給部６２と空気改質装置７０の入力部７１とはダクトＤ２を用いて接続され、居住部排気口２５と強制吸気・排気装置６０の排気入力部６３とはダクトＤ３を用いて接続され、居住部排気口３５と強制吸気・排気装置６０の排気入力部６３とはダクトＤ４を用いて接続され、強制吸気・排気装置６０の排気出力部６４と小屋裏排気口４２とはダクトＤ５を用いて接続される。
【実施例２】
【００４６】  図１より、ＩＡは高気密高断熱住宅Ｈの周辺の外気Ａが外気取入れ口４１に取り込まれようとしている外気Ａの状態を示しており、外気取入れ口４１より取り込まれた外気ＩＡはダクトＤ１を通って吸気部６１と強制吸気・排気装置６０と供給部６２とダクトＤ２を介して空気改質装置７０の入力部７１に至り、外気ＩＡはまず第１空気処理部７２ａで改質され改質外気ＩＡ１となり、改質外気ＩＡ１はさらに第２空気処理部７２ｂで改質され改質外気ＩＡ２となり、改質外気ＩＡ２は床下空間１０を満たし、さらに改質外気ＩＡ２は屋内通気空間５０を満たすことで居住部吸気口２１を介して居住部２０内に流入し居住部空気２２となり、居住部空気２２が住人などで消費されると使用済み空気２６となり、使用済み空気２６は居住部排気口２５とダクトＤ３と排気入力部６３と強制吸気・排気装置６０と排気出力部６４とダクトＤ５と小屋裏排気口４２を介して高気密高断熱住宅Ｈの外に強制排気され排空気ＯＡとして空中に拡散していく。また、屋内通気空間５０を満たした改質外気ＩＡ２は居住部吸気口３１を介して居住部３０内に流入し居住部空気３２となり、居住部空気３２が住人などで消費されると使用済み空気３６となり、使用済み空気３６は居住部排気口３５とダクトＤ４と排気入力部６３と強制吸気・排気装置６０と排気出力部６４とダクトＤ５と小屋裏排気口４２を介して高気密高断熱住宅Ｈの外に強制排気され排空気ＯＡとして空中に拡散していく。
【実施例３】
【００４７】  図１より、例えば梅雨の時期で交通量の多い某都市部での高気密高断熱住宅Ｈにおいて、高気密高断熱住宅Ｈ周辺の外気の温度が約２５℃で相対湿度が約８０％の場合で、この時の外気ＩＡの条件が外気Ａ１と外気Ａ４の組合せであるとして外気（Ａ１＋Ａ４）であるとする。高気密高断熱住宅Ｈの住人はこの時期の外気ＩＡが外気（Ａ１＋Ａ４）であると把握していたので、まず第１空気処理部７２ａには前記ろ過手段からセルロース系シート状成形体で形成させたフィルター機能を選択し装着することにしたが、第１空気処理部７２ａには冬期の外気Ａ２対策用の加湿機能を装着していたので開閉式扉であるメンテナンス部１２を開いてこの加湿機能を取り外し、その後に前記セルロース系フィルター機能を装着した。次に第２空気処理部７２ｂには前記吸着手段から珪藻土粉末を直径５ｍｍ位に形成させた粒体を充填させた珪藻土系フィルター機能を選択し装着することにしたが、第２空気処理部７２ｂには第１空気処理部７２ａの加湿機能と相性の良い天然繊維系シート状成形体で形成させたフィルター機能を装着していたので開閉式扉であるメンテナンス部１２を開いてこの天然繊維系フィルター機能を取り外し、その後に珪藻土系フィルター機能を装着した。外気取入れ口４１より取り込まれた外気ＩＡ（外気（Ａ１＋Ａ４））は、実施例１と実施例２の構成により、第１空気処理部７２ａにより比較的効率よく外気Ａ４の不快粒子を減少させた改質外気ＩＡ１を生成させ、外気Ａ１の比率が多い改質外気ＩＡ１を第２空気処理部７２ｂにより比較的効率よく外気Ａ１の湿気を減少させることで改質外気ＩＡ２に改質させることができる。外気ＩＡ（外気（Ａ１＋Ａ４））から不快粒子と湿気を減少させた改質外気ＩＡ２を床下空間１０や屋内通気空間５０や居住部２０や居住部３０に供給できることで、梅雨の時期であるにも拘らず高気密高断熱住宅Ｈ及び高気密高断熱住宅Ｈの住人には快適な生活を提供できる。
【実施例４】
【００４８】  図１より、実施例３の高気密高断熱住宅Ｈの冬期において、高気密高断熱住宅Ｈ周辺の外気の温度が約５℃で相対湿度が約４０％の場合に、この時の外気ＩＡの条件が外気Ａ２と外気Ａ４の組合せであるとして外気（Ａ２＋Ａ４）であるとする。高気密高断熱住宅Ｈの住人はこの時期の外気ＩＡが外気（Ａ２＋Ａ４）であると把握していたので、まず第１空気処理部７２ａには前記加湿機能を選択し装着することにしたが、第１空気処理部７２ａには夏期の外気Ａ１対策用の除湿機能を装着していたので開閉式扉であるメンテナンス部１２を開いてこの除湿機能を取り外し、その後に前記加湿機能を装着した。次に第２空気処理部７２ｂには木炭の粉砕物を充填したカセット容器を装着することにしたが、第２空気処理部７２ｂには第１空気処理部７２ａの除湿機能と相性の良いセルロース系不織布で形成させたフィルター機能を装着していたので開閉式扉であるメンテナンス部１２を開いてこのセルロース系フィルター機能を取り外し、その後に前記木炭カセット容器を装着した。外気取入れ口４１より取り込まれた外気ＩＡ（外気（Ａ２＋Ａ４））は、実施例１と実施例２の構成により、第１空気処理部７２ａにより外気Ａ２の湿気を増加させた改質外気ＩＡ１を生成させ、改質外気ＩＡ１を第２空気処理部７２ｂにより比較的効率よく外気Ａ４の不快粒子を減少させることで改質外気ＩＡ２にすることができる。外気ＩＡ（外気（Ａ２＋Ａ４））から不快粒子と湿気を増加させた改質外気ＩＡ２を床下空間１０や屋内通気空間５０や居住部２０や居住部３０に供給できることで、冬季においても高気密高断熱住宅Ｈ及び高気密高断熱住宅Ｈの住人には快適な生活を提供できる。
【実施例５】
【００４９】  図１より、例えば、杉花粉を代表とする各種花粉が飛来し花粉症の方には辛い時期である３月〜４月の交通量の多い某都市部での高気密高断熱住宅Ｈにおいて、例えば高気密高断熱住宅Ｈの住人の一人に杉花粉症を患う方がいる場合で、またこの時期が中国大陸から黄砂も飛来する時期と重なることもあって杉花粉症の住人にとっては憂鬱な季節であり、さらに勤める企業の期末と年度始まりも重なるとあって気分が優れない季節でもあった。したがってこの時の外気ＩＡの条件が外気Ａ７と外気Ａ８の組合せであるとして外気（Ａ７＋Ａ８）であるとする。またこの高気密高断熱住宅Ｈの住人はこの時期の外気ＩＡが外気（Ａ７＋Ａ８）になることを体験上把握していたので、まず開閉式扉であるメンテナンス部１２を開いて第１空気処理部７２ａの今までセットしていたあるフィルター機能を取り外し紫外線照射手段で杉花粉を不活性化させる空気浄化機能を装着した。次に第２空気処理部７２ｂには遠赤外線放射体でありマイナスイオン生成手段でもあり吸着手段としても優れている前記ゼオライト粉末を直径５ｍｍ位に形成させた粒体に市販のミント系香料を所望量染みこませてから充填したカセット容器を装着することにした。次に外気取入れ口４１より取り込まれた外気ＩＡ（外気（Ａ７＋Ａ８））は、実施例１と実施例２の構成により、第１空気処理部７２ａにより比較的効率よく外気Ａ７の杉花粉を不活性化させた改質外気ＩＡ１を生成させ、次に改質外気ＩＡ１を第２空気処理部７２ｂにより黄砂をほぼ完全に吸着させることで改質させた改質外気ＩＡ２を床下空間１０や屋内通気空間５０や居住部２０や居住部３０に供給できることで、杉花粉や黄砂の時期であるにも拘らず高気密高断熱住宅Ｈ及び高気密高断熱住宅Ｈの住人には快適な生活を提供できる。また第２空気処理部７２ｂに付加したミント系香料により高気密高断熱住宅Ｈの住人は気分爽快に仕事に専念することができ産業の発展に寄与することができた。【００５５】  以上、実施例について詳細に説明したが、本発明はこのような実施例に限定されるものではなく、細部の構成，形状，寸法，材料（素材），材質（品質），数量等において、本発明の要旨を逸脱しない範囲で任意に変更，追加，削除することが可能である。
また本発明は、高気密高断熱住宅を対象としたものであるが、どの程度の高気密高断熱を採用するかは問わないし、またその具体的構造についても任意であり、前記実施形態には限定されない。
また本発明は、床下空間に床下暖房手段を設けた住宅を対象としたものであるが、どの程度の床下暖房手段を採用するかは問わないし、またその具体的構造についても任意であり、前記実施形態には限定されない。
【産業上の利用可能性】
【００６０】  本発明では実施例として２階建て住宅の場合を説明したが、平屋建て住宅の場合でも２階建て以上の住宅でも、集合住宅でも、高層建築物でも同様の効果が可能であるから、産業上の利用可能性は大きいと思われる。
【図面の簡単な説明】
【００６１】
【図１】本発明の実施の形態例を示す概略説明図である。
【符号の説明】
【００６２】  Ｈ・・・高気密高断熱住宅
Ｄ１，Ｄ２，Ｄ３，Ｄ４，Ｄ５・・ダクト
ＩＡ・・外気Ａ、ＩＡ１・・改質外気、ＩＡ２・・改質外気、ＯＡ・・排空気
１０・・床下空間、１１・・床下暖房構造、１２・・メンテナンス部
２０・・居住部、２１・・居住部吸気口、２２・・居住部空気
２５・・居住部排気口、２６・・使用済み空気
３０・・居住部、３１・・居住部吸気口、３２・・居住部空気
３５・・居住部排気口、３６・・使用済み空気
４０・・小屋裏空間、４１・・外気取入れ口、４２・・小屋裏排気口
５０・・屋内通気空間
６０・・強制吸気・排気装置、６１・・吸気部、６２・・供給部
６３・・排気入力部、６４・・排気出力部
７０・・空気改質装置、７１・・入力部、７２・・空気改質処理部
７２ａ・・第１空気処理部、７２ｂ・・第２空気処理部
７３・・出力部
【図１】
2010242472.tif 000003